【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
それ自体の上に折り畳まれるように適合された細長形ウェブであって、前記ウェブは、折り畳まれた構成にあるとき、互いに当接する複数個のパネルを含む、ウェブと、
細長形の本体部分、上端部要素、および前記上端部要素の反対側の底端部要素を含む、折り畳み保持デバイスであって、前記デバイスは、前記複数個のパネルのうちの２つ以上を通って延在し、前記ウェブを、折り畳まれた構成で解放可能に保持するように適合されている、デバイスと、
を含む、包帯。
【請求項２】
前記折り畳み保持デバイスが、ユーザーが、前記デバイスを取り外すことなく、前記ウェブを徐々に展開することができるように適合されるか、または、
前記折り畳み保持デバイスが、ユーザーが、１つ以上のパネルを、パネル毎に、前記折り畳み保持デバイスの前記上端部要素を越えて滑らせることによって、前記１つ以上のパネルを展開する一方で、他のパネルを折り畳まれた状態に維持することができるように適合されるか、または、
前記デバイスが、前記折り畳まれたウェブを通って延在するほど十分に長く、前記包帯の前記ウェブの材料を貫通するほど十分に細いか、または、
前記ウェブが、ジグザグに折り畳まれる、請求項１に記載の包帯。
【請求項３】
前記折り畳み保持デバイスの前記本体部分の長さ（Ｌ）が、前記折り畳まれたウェブの厚さ（Ｔ）と等しいか、または、
前記折り畳み保持デバイスの前記本体部分の長さ（Ｌ）が、前記折り畳まれたウェブの厚さ（Ｔ）よりも大きいか、または、
前記折り畳み保持デバイスの前記本体部分の長さ（Ｌ）が、前記折り畳まれたウェブの厚さ（Ｔ）よりも小さい、請求項１に記載の包帯。
【請求項４】
創傷を覆うように適合された包帯剤を更に含み、前記包帯剤が、選択された１つの前記パネルの表面上に配置され、好ましくは前記選択された１つの前記パネルの反対側表面上に配置された圧迫部材を更に含む、請求項１に記載の包帯。
【請求項５】
前記上端部要素および前記底端部要素の少なくとも一方が、前記本体部分の厚さ（Ｄ１）よりも大きい厚さ（Ｄ２）を有するか、または、
前記本体部分が、断面は円形であり、前記厚さ（Ｄ１）は直径である、請求項１に記載の包帯。
【請求項６】
前記本体部分が、ポリマー、合成ポリマー、シリコン、および綿からなる群から選択される１つ以上の材料を含むか、または、
前記本体部分が、天然繊維、合成繊維、またはそれらの組み合わせを含む織物材料を含む、糸状物を含むか、または、
前記主要本体部分が糸状物を含み、前記端部要素が剛性材料で形成される、請求項１に記載の包帯。
【請求項７】
前記上端部要素が、前記パネルの最初部分の外側に配置されるように適合され、前記底端部要素が、前記折り畳まれたパネルの最終部分の外側に配置されるように適合されるか、または、
前記上端部要素および前記底端部要素の少なくとも一方が、球形状であるか、または、
前記上端部要素および前記底端部要素が、互いに同一であるか、または、
前記上端部要素および前記底端部要素が、互いに異なるか、または、
前記上端部要素および前記底端部要素の少なくとも一方が、前記本体部分と一体形成されるか、または、
前記上端部要素および前記底端部要素の少なくとも一方が、前記本体部分とは別個に形成されて、前記本体部分に取り付けられるか、または、
前記上端部要素および前記底端部要素の少なくとも一方が、前記本体部分から開張する位置で延在する２つ以上の細長形の指状部を含み、前記２つ以上の細長形の指状部は、前記ウェブを展開するために１つ以上のパネルが引っ張られている際に押し潰されるように適合される、請求項１に記載の包帯。
【請求項８】
前記上端部要素および前記底端部要素の少なくとも一方が、Ｙ字形状である、請求項１に記載の包帯。
【請求項９】
前記Ｙ字形状の端部要素が、押し潰されると、前記本体部分の厚さ（Ｄ１）と等しい幅寸法（Ｗ１）を有し、
前記Ｙ字形状の端部要素が、開張すると、前記本体部分の前記厚さ（Ｄ１）よりも大きい幅寸法（Ｗ２）を有する、請求項８に記載の包帯。
【請求項１０】
折り畳み保持デバイスであって、
細長形の本体部分、上端部要素、および前記上端部要素の反対側の底端部要素を含み、前記デバイスは、包帯の細長形の折り畳まれたウェブの２つ以上のパネルを通って延在し、前記ウェブを、折り畳まれた構成で解放可能に保持するように適合される、デバイス。
【請求項１１】
前記包帯のユーザーが、前記デバイスを取り外すことなく、前記ウェブを徐々に展開することができるように更に適合されるか、または、
前記包帯のユーザーが、１つ以上のパネルを、パネル毎に、前記折り畳み保持デバイスの前記上端部要素を越えて滑らせることによって、前記１つ以上のパネルを展開する一方で、他のパネルを折り畳まれた状態に維持することができるように更に適合されるか、または、
前記折り畳まれたウェブを通って延在するほど十分に長く、前記包帯の前記ウェブの材料を貫通するほど十分に細いか、または、
前記折り畳み保持デバイスの前記本体部分の長さ（Ｌ）が、前記折り畳まれたウェブの厚さ（Ｔ）と等しいか、または、
前記折り畳み保持デバイスの前記本体部分の長さ（Ｌ）が、前記折り畳まれたウェブの厚さ（Ｔ）よりも大きいか、または、
前記折り畳み保持デバイスの前記本体部分の長さ（Ｌ）が、前記折り畳まれたウェブの厚さ（Ｔ）よりも小さいか、または、
前記包帯の前記ウェブが、ジグザグに折り畳まれ、好ましくは、前記上端部要素および前記底端部要素の少なくとも一方が、前記本体部分の厚さ（Ｄ１）よりも大きい厚さ（Ｄ２）を有するか、または、
前記本体部分が、断面は円形であり、前記厚さ（Ｄ１）は直径であるか、または、
前記本体部分が、ポリマー、合成ポリマー、シリコン、および綿からなる群から選択される１つ以上の材料を含むか、または、
前記本体部分が、天然繊維、合成繊維、またはそれらの組み合わせを含む織物材料を含む、糸状物を含むか、または、
前記主要本体部分が糸状物を含み、前記端部要素が剛性材料で形成されるか、または、
前記上端部要素が、前記パネルの最初部分の外側に配置されるように適合され、前記底端部要素が、前記折り畳まれたパネルの最終部分の外側に配置されるように適合されるか、または、
前記上端部要素および前記底端部要素の少なくとも一方が、球形状であるか、または、
前記上端部要素および前記底端部要素の少なくとも一方が、Ｙ字形状であり、
好ましくは、
前記Ｙ字形状の端部要素が、押し潰されると、前記本体部分の厚さ（Ｄ１）と等しい幅寸法（Ｗ１）を有し、
前記Ｙ字形状の端部要素が、開張すると、前記本体部分の前記厚さ（Ｄ１）よりも大きい幅寸法（Ｗ２）を有するか、
前記上端部要素および前記底端部要素が、互いに同一であるか、または、
前記上端部要素および前記底端部要素が、互いに異なるか、または、
前記上端部要素および前記底端部要素の少なくとも一方が、前記本体部分と一体形成されるか、または、
前記上端部要素および前記底端部要素の少なくとも一方が、前記本体部分とは別個に形成されて、前記本体部分に取り付けられるか、または、
前記上端部要素および前記底端部要素の少なくとも一方が、前記本体部分から開張する位置で延在する２つ以上の細長形の指状部を含み、前記２つ以上の細長形の指状部は、前記ウェブを展開するために１つ以上のパネルが引っ張られている際に押し潰されるように適合される、請求項１０に記載のデバイス。
【請求項１２】
包帯の細長形ウェブを、折り畳まれた構成で解放可能に保持する方法であって、前記方法は、
包帯の細長形ウェブを折り畳んで、互いに当接する複数個のパネルを形成することと、折り畳み保持デバイスを、前記複数個のパネルのうちの２つ以上に通して挿入し、それによって前記折り畳み保持デバイスが、前記ウェブを折り畳まれた構成で解放可能に保持していることと、好ましくは、前記折り畳み保持デバイスを前記複数個のパネルのうちの前記２つ以上に通して挿入する前に、前記折り畳まれた包帯を最初に圧縮することと、または、
包帯の細長形ウェブを折り畳んで、互いに当接する複数個のパネルを形成することと、加熱要素を、前記複数個の折り畳み部のうちの２つ以上に通して挿入することであって、前記加熱要素と直接接触する１つの折り畳み部の繊維が、前記加熱要素の経路の領域内で溶融し、１つ以上の隣接する折り畳み部の繊維に固着することによって、前記ウェブを折り畳まれた構成で解放可能に保持していることと、好ましくは、前記加熱要素を挿入する前に、前記折り畳まれた包帯を圧縮することと、
を含む、方法。